【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
弁であって、
導管内面と導管外面とを有する導管と、
１若しくはそれ以上のリーフレットを有する弁構造体であって、前記１若しくはそれ以上のリーフレットは、外側湾曲縁部と、内側湾曲縁部と、開口湾曲縁部と、ファン部とを有し、当該弁構造体は、前記外側湾曲縁部および前記内側湾曲縁部において前記導管内面に取り付けられるものであり、前記開口湾曲縁部は前記導管内面の下側に垂下し、それにより、前記リーフレットと前記導管内面との間に所定の湾曲部が形成されるものである、前記弁構造体と
を有する弁。
【請求項２】
請求項１記載の弁において、前記リーフレットは実質的に三角形状を有するものである弁。
【請求項３】
請求項１記載の弁において、前記開口湾曲縁部は、前記リーフレットを前記導管へ固定する点間における前記導管の周囲長さよりも小さい幅を有するものである弁。
【請求項４】
請求項１記載の弁において、前記外側湾曲縁部および前記内側湾曲縁部は、縫合、溶接、溶融、接着剤の適用、およびそれらの組み合わせの群から選択される流体不透過性接続手段によって前記導管に取り付けられるものである弁。
【請求項５】
請求項１記載の弁において、前記導管および前記弁構造体は、それぞれ個別に、所定の生体適合性および血液適合性ポリマーで構成されているものである弁。
【請求項６】
請求項５記載の弁において、前記生体適合性および血液適合性ポリマーは、ポリテトラフルオロエチレン、発砲ポリテトラフルオロエチレン、ポリエステル、ポリエチレンテレフタレート、ポリジメチルシロキサン、ポリウレタン、およびそれらの組み合わせからなる群から選択されるフルオロポリマーである弁。
【請求項７】
請求項５記載の弁において、前記生体適合性および血液適合性ポリマーは、生物活性被膜でコーティングされたポリマー、または生物活性物質を含むように表面修飾されたポリマーである弁。
【請求項８】
請求項７記載の弁において、前記生物活性物質は、抗凝固被膜、クマジン、ヘパリン、ヘパリン誘導体、第Ｘａ因子阻害剤、焼結処理した多孔質チタンマイクロスフェア、炭素被膜、およびそれらの組み合わせからなる群から選択されるものである弁。
【請求項９】
請求項１記載の弁において、前記リーフレットにおける前記リーフレットの幅と所定の固定点間における前記導管の周囲長さとの比が約０．６３〜約１である弁。
【請求項１０】
請求項１記載の弁において、前記リーフレットにおける前記リーフレットの幅と導管直径との比が約０．９〜約１．７である弁。
【請求項１１】
請求項１記載の弁において、前記導管はステントを有し、当該ステントは、ステント内面と、ステント外面とを有するものである弁。
【請求項１２】
弁を作製する方法であって、
内面と外面とを有する導管を、前記内面が外側になるように反転させる工程と、
前記導管の一部を長手軸に沿って屈曲させ、テーパ形状の窪み部を形成する工程と、
弁構造体の外側湾曲縁部および内側湾曲縁部を前記導管の前記テーパ形状の窪み部において前記導管内面に取り付ける工程であって、前記弁構造体は、外側湾曲縁部と、内側湾曲縁部と、開口湾曲縁部と、ファン部とを有する１若しくはそれ以上のリーフレットを有するものである、前記取り付ける工程と、
前記導管を元に戻すことにより前記導管内面に前記弁構造体を作製する工程であって、前記開口湾曲縁部は、前記導管内面の下側に、前記１若しくはそれ以上のリーフレットと前記導管内面との間に所定の湾曲部を形成する深さまで垂下するものである、前記作製する工程と
を有する方法。
【請求項１３】
請求項１２記載の方法において、前記屈曲させる工程は、固定用ステンシルを用いて行われるものである方法。
【請求項１４】
請求項１２記載の方法において、前記屈曲させる工程は、更に、前記導管の機械的変形、加熱、真空変形、またはそれらの組み合わせを含むものである方法。
【請求項１５】
固定用ステンシルであって、
端部を有するハンドルと、
前記ハンドルの端部に取り付けられたステンシルヘッドであって、前記ステンシルヘッドは、底部、第一の外縁部、第二の外縁部、および先端部とを有する三角形の平らな表面と、前記三角形の平らな表面の反対側にある三角形の曲面とを有し、前記三角形の曲面は、前記ハンドルから延長する長手軸から前記第一の外縁部に向けて、および前記長手軸から前記第二の外縁部に向けて外側方向にテーパ状になっており、前記底部から前記先端部に向けて湾曲形状になっているものであり、これにより、前記ハンドルから延長する実質的に四面体形状のステンシルヘッドが形成されるものである、前記ステンシルヘッドと
を有する固定用ステンシル。
【請求項１６】
請求項１５記載の固定用ステンシルにおいて、更に、前記第一の外縁部および前記第二の外縁部に沿って穴またはスロットを有するものである固定用ステンシル。
【請求項１７】
請求項１５記載の固定用ステンシルにおいて、前記ステンシルヘッドは、前記第一の外縁部および前記第二の外縁部に沿って貫通可能または部分的に破壊可能である固定用ステンシル。
【手続補正２】
【補正対象書類名】明細書
【補正対象項目名】０００３
【補正方法】変更
【補正の内容】
【０００３】
例えばノーウッド手術を患者に施すにあたり、弁付き導管を提供するため、一部の医療機関では、同種移植弁を合成導管に取り付けることによりハイブリッド弁付き導管を作製している。この方法は無弁導管と比べていくつかの利点を提供する場合もあるが、同種移植弁は、他のいくつかの問題、例えば、石灰化、免疫拒絶反応、時折発生する弁リーフレットの??孔などを特に抱えている。ｅＰＴＦＥ弁付き導管は斯かる課題に対して大いに貢献することが示されており、直径の大きい弁付き導管が使用される類似の小児心臓外科手術においては、同種移植と比較して改善された結果をもたらしている。適切に機能する小径の弁付きＲＶ−ＰＡ導管は、中期結果および長期結果を改善するのと同時に、無弁ＲＶ−ＰＡの改善された短期結果も維持することが期待できる。斯かる装置を作製するのに使用される技術および設計は、追加のアプリケーション、例えば、他の解剖位置または他の病状に用いられる弁付き導管または弁付きステントなどにも有用であり得る。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，１６０，６８８号明細書
（特許文献２）  米国特許第４，１８７，３９０号明細書
（特許文献３）  米国特許第４，４７５，９７２号明細書
（特許文献４）  米国特許第４，９５５，８９９号明細書
（特許文献５）  米国特許第５，４４３，４９９号明細書
（特許文献６）  米国特許第５，４６６，２６１号明細書
（特許文献７）  米国特許第５，４６９，８６８号明細書
（特許文献８）  米国特許第５，８００，５１２号明細書
（特許文献９）  米国特許第５，８０４，０１１号明細書
（特許文献１０）  米国特許第５，８４３，１６１号明細書
（特許文献１１）  米国特許第６，０１６，８４８号明細書
（特許文献１２）  米国特許第６，４３６，１３５号明細書
（特許文献１３）  米国特許第６，５１７，５７１号明細書
（特許文献１４）  米国特許第６，７１６，２３９号明細書
（特許文献１５）  米国特許第６，８６３，６８６号明細書
（特許文献１６）  米国特許第６，９３９，３７２号明細書
（特許文献１７）  米国特許第７，１５３，３２４号明細書
（特許文献１８）  米国特許第７，３０６，７２９号明細書
（特許文献１９）  米国特許第７，７８９，９０８号明細書
（特許文献２０）  米国特許第８，６７２，９９７号明細書
（特許文献２１）  米国特許出願公開第２００１／００３９４５０号明細書
（特許文献２２）  米国特許出願公開第２００２／００５５７７５号明細書
（特許文献２３）  米国特許出願公開第２００２／０１３８１３５号明細書
（特許文献２４）  米国特許出願公開第２００３／００２７３３２号明細書
（特許文献２５）  米国特許出願公開第２００３／０１１４９２４号明細書
（特許文献２６）  米国特許出願公開第２００３／０１３９８０５号明細書
（特許文献２７）  米国特許出願公開第２００３／０１９１５２５号明細書
（特許文献２８）  米国特許出願公開第２００５／００７５７２７号明細書
（特許文献２９）  米国特許出願公開第２００５／００９６７３４号明細書
（特許文献３０）  米国特許出願公開第２００５／０１３７６８２号明細書
（特許文献３１）  米国特許出願公開第２００５／０２２８４９５号明細書
（特許文献３２）  米国特許出願公開第２００５／０２４０２６２号明細書
（特許文献３３）  米国特許出願公開第２００５／０２８３２２４号明細書
（特許文献３４）  米国特許出願公開第２００６／０１４９３６６号明細書
（特許文献３５）  米国特許出願公開第２００６／０１６１２４８号明細書
（特許文献３６）  米国特許出願公開第２００６／０２２９７１６号明細書
（特許文献３７）  米国特許出願公開第２００６／０２５９１３６号明細書
（特許文献３８）  米国特許出願公開第２００６／０２６５０５３号明細書
（特許文献３９）  米国特許出願公開第２００６／０２８７７１７号明細書
（特許文献４０）  米国特許出願公開第２００７／００２７５２８号明細書
（特許文献４１）  米国特許出願公開第２００７／００４３４３１号明細書
（特許文献４２）  米国特許出願公開第２００８／０２０６４４２号明細書
（特許文献４３）  米国特許出願公開第２００９／０１１８８２６号明細書
（特許文献４４）  米国特許出願公開第２０１０／００２３１２０号明細書
（特許文献４５）  米国特許出願公開第２０１１／００６０４０１号明細書
（特許文献４６）  米国特許出願公開第２０１１／００７１６２５号明細書
（特許文献４７）  米国特許出願公開第２０１１／００９４５９２号明細書
（特許文献４８）  米国特許出願公開第２０１１／０１２５１６３号明細書
（特許文献４９）  米国特許出願公開第２０１１／０１６６６３７号明細書
（特許文献５０）  米国特許出願公開第２０１２／０１５８１２５号明細書
（特許文献５１）  米国特許出願公開第２０１２／０２７１３９６号明細書
（特許文献５２）  米国特許出願公開第２０１３／００１３０５８号明細書
（特許文献５３）  米国特許出願公開第２０１３／０１６６０１６号明細書
（特許文献５４）  米国特許出願公開第２０１３／０１８４８０７号明細書
（特許文献５５）  米国特許出願公開第２０１４／００３１９２７号明細書
（特許文献５６）  米国特許出願公開第２０１４／０１３１２６８号明細書
（特許文献５７）  米国特許出願公開第２０１４／０１５５９９５号明細書
（特許文献５８）  米国特許出願公開第２０１４／０２８８６４２号明細書
（特許文献５９）  米国特許出願公開第２０１４／０３３０３７２号明細書
（特許文献６０）  米国特許出願公開第２０１５／０３６６６６４号明細書
（特許文献６１）  米国特許出願公開第２０１６／００６７０３８号明細書
（特許文献６２）  米国特許出願公開第２０１７／０１９６６８５号明細書
（特許文献６３）  米国特許出願公開第２０１７／０２５２１５６号明細書
（特許文献６４）  特表平０７─５０５８１５号公報
（特許文献６５）  国際公開第１９９４／０１５５４８号
（特許文献６６）  国際公開第２００９／０６１４１９号
（特許文献６７）  国際公開第２０１２／０１８７７９号
（特許文献６８）  国際公開第２０１３／０１９７５６号
（特許文献６９）  国際公開第２０１４／１３８５９９号
（特許文献７０）  国際公開第２０１４／１４５８１１号
（特許文献７１）  国際公開第２０１７／１５１９００号
（特許文献７２）  米国特許出願公開第２０１０／００２３１１４号明細書
（特許文献７３）  米国特許出願公開第２０１３／０３０４１９６号明細書
（特許文献７４）  国際公開第２００５／０１１５３５号
（特許文献７５）  国際公開第２０１６／２０５７７３号
（特許文献７６）  米国特許出願公開第２０１０／０２０４７７５号明細書
（特許文献７７）  中国特許出願公開第１０１８９６１３９号明細書
（特許文献７８）  米国特許第８，９００，６５２号明細書
（特許文献７９）  米国特許出願公開第２００７／００６７０２１号明細書
（特許文献８０）  米国特許出願公開第２０１１／００９８８００号明細書
（特許文献８１）  国際公開第２００９／１３４７０１号
（特許文献８２）  米国特許第７，１５３，３２５号明細書
（特許文献８３）  米国特許第９，５８５，７４６号明細書
（特許文献８４）  米国特許出願公開第２００２／０１３３２２６号明細書
（特許文献８５）  米国特許出願公開第２０１０／０３１２３３３号明細書
（特許文献８６）  米国特許出願公開第２０１６／００１５５１６号明細書
（特許文献８７）  米国特許出願公開第２０１８／０１６８７９５号明細書
（特許文献８８）  米国特許出願公開第２０１８／００９８８４５号明細書
（特許文献８９）  中国特許出願公開第１０２４９７８３６号明細書
（特許文献９０）  中国特許出願公開第１３０４２９８号明細書
（特許文献９１）  特表２００７−５３６９５１号公報
（特許文献９２）  国際公開第２０１８／０７１４１７号
（特許文献９３）  米国特許出願公開第２００６／０１２２６９３号明細書
（特許文献９４）  米国特許出願公開第２０１２／０２９００８２号明細書
（特許文献９５）  米国特許出願公開第２０１６／０１００９３９号明細書
（特許文献９６）  特表２００８−５２６３６６号公報
（特許文献９７）  特開昭６４−０４６４６８号公報
（非特許文献）
（非特許文献１）  ＡＮＤＯ  ｅｔ  ａｌ．，  Ｔｅｎ−ｙｅａｒ  ｅｘｐｅｒｉｅｎｃｅ  ｗｉｔｈ  ｈａｎｄｍａｄｅ  ｔｒｉｌｅａｆｌｅｔ  ｐｏｌｙｔｅｔｒａｆｌｕｏｒｏｅｔｈｙｌｅｎｅ  ｖａｌｖｅｄ  ｃｏｎｄｕｉｔ  ｕｓｅｄ  ｆｏｒ  ｐｕｌｍｏｎａｒｙ  ｒｅｃｏｎｓｔｒｕｃｔｉｏｎ，  Ｊ  Ｔｈｏｒａｃ  Ｃａｄｉｏｖａｓｃ  Ｓｕｒｇ，  （２００９），  １３７：１２４−１３１．
（非特許文献２）  ＢＡＣＫ  ｅｔ  ａｌ．  Ｂｉｏｍａｔｅｒｉａｌｓ  ｉｎ  Ｖａｓｃｕｌａｒ  Ｓｕｒｇｅｒｙ；  Ｈｕｍａｎ  Ｂｉｏｍａｔｅｒｉａｌｓ  Ａｐｐｌｉｃａｔｉｏｎｓ．  Ｈｕｍａｎａ  Ｐｒｅｓｓ，  Ｉｎｃ．，  １９９６：  ２５７−２９９
（非特許文献３）  ＢＡＴＬＩＶＡＬＡ  ｅｔ  ａｌ．，  Ｐｕｌｍｏｎａｒｙ  Ｖａｌｖｅ  Ｒｅｐｌａｃｅｍｅｎｔ  Ｆｕｎｃｔｉｏｎ  ｉｎ  Ａｄｏｌｅｓｃｅｎｔｓ：  Ａ  Ｃｏｍｐａｒｉｓｏｎ  ｏｆ  Ｂｉｏｐｒｏｓｔｈｅｔｉｃ  Ｖａｌｖｅｓ  ａｎｄ  Ｈｏｍｏｇｒａｆｔ  Ｃｏｎｄｕｉｔｓ，  Ａｎｎ  Ｔｈｏｒａｃ  Ｓｕｒｇ，  （２０１２），  ９３：２００７−２０１６．
（非特許文献４）  ＢＥＲＮＳＴＥＩＮ  ｅｔ  ａｌ．，  Ｂｉｃｕｓｐｉｄ−Ｖａｌｖｅｄ  ＰＴＦＥ  Ｃｏｎｄｕｉｔ  Ｏｐｔｉｍｉｚａｔｉｏｎ  ｆｏｒ  Ｐｅｄｉａｔｒｉｃ  ＲＶＯＴ  Ｒｅｃｏｎｓｔｒｕｃｔｉｏｎ，  Ｂｉｏｅｎｇｉｎｅｅｒｉｎｇ  Ｃｏｎｆｅｒｅｎｃｅ  （ＮＥＢＥＣ），  （２０１１）
（非特許文献５）  Ｂｉａｎｃａ  ｅｔ  ａｌ．，  Ｓｅｘ  ｒａｔｉｏ  ｉｍｂａｌａｎｃｅ  ｉｎ  ｔｒａｎｓｐｏｓｉｔｉｏｎ  ｏｆ  ｔｈｅ  ｇｒｅａｔ  ａｒｔｅｒｉｅｓ  ａｎｄ  ｐｏｓｓｉｂｌｅ  ａｇｒｉｃｕｌｔｕｒａｌ  ｅｎｖｉｒｏｎｍｅｎｔａｌ  ｒｉｓｋ  ｆａｃｔｏｒｓ，  Ｉｍａｇｅｓ  Ｐａｅｄｉａｔｒ  Ｃａｒｄｉｏｌ，  （２００１），  ８：１０−１４．
（非特許文献６）  Ｂｉｅｌｅｆｅｌｄ  ｅｔ  ａｌ．，  Ｒｅｏｐｅｒａｔｉｖｅ  Ｈｏｍｏｇｒａｆｔ  Ｒｉｇｈｔ  Ｖｅｎｔｒｉｃｕｌａｒ  Ｏｕｔｆｌｏｗ  Ｔｒａｃｔ  Ｒｅｃｏｎｓｔｒｕｃｔｉｏｎ，  Ａｎｎ  Ｔｈｏｒａｃ  Ｓｕｒｇ，  （２００１），  ７１  （２）：４８２−４８８．
（非特許文献７）  ＢＯＥＴＨＩＧ  ｅｔ  ａｌ．，  Ｍｉｄ  ｔｅｒｍ  ｃｏｕｒｓｅ  ａｆｔｅｒ  ｐｅｄｉａｔｒｉｃ  ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ：  ａ  ｃｏｍｐａｒｉｓｏｎ  ｏｆ  ｈｏｍｏｇｒａｆｔｓ，  ｐｏｒｃｉｎｅ  ｘｅｎｏｇｒａｆｔｓ  ａｎｄ  Ｃｏｎｔｅｇｒａｓ，  Ｅｕｒｏｐｅａｎ  Ｊｏｕｒｎａｌ  ｏｆ  Ｃａｒｄｉｏ−ｔｈｏｒａｃｉｃ  Ｓｕｒｇｅｒｙ，  （２００５），  ２７：５８−６６．
（非特許文献８）  ＢＯＵＤＪＥＭＬＩＮＥ  ｅｔ  ａｌ．，  Ｕｓｅ  ｏｆ  ｂｏｖｉｎｅ  ｊｕｇｕｌａｒ  ｖｅｉｎ  ｔｏ  ｒｅｃｏｎｓｔｒｕｃｔ  ｔｈｅ  ｒｉｇｈｔ  ｖｅｎｔｒｉｃｕｌａｒ  ｏｕｔｆｌｏｗ  ｔｒａｃｔ：  Ｅａｒｌｙ  ｒｅｓｕｌｔｓ，  Ｊ  Ｔｈｏｒａｃ  Ｃａｒｄｉｏｖａｓｃ  Ｓｕｒｇ，  （２００３），  １２６：４９０−４９７．
（非特許文献９）  ＢＲＯＷＮ  ｅｔ  ａｌ．，  Ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ  ｗｉｔｈ  ｐｏｌｙｔｅｔｒａｆｌｕｏｒｏｅｔｈｙｌｅｎｅ  ｍｏｎｏｃｕｓｐ  ｖａｌｖｅ：  Ａ  ｔｗｅｌｖｅ  ｙｅａｒ  ｅｘｐｅｒｉｅｎｃｅ，  Ｊ  Ｔｈｏｒａｃ  Ｃａｒｄｉｏｖａｓｃ  Ｓｕｒｇ，  （２００７），  １３３（５）：１３３６−１３４３．
（非特許文献１０）  Ｃａｌｄａｒｏｎｅ  ｅｔ  ａｌ．，  Ｉｎｄｅｐｅｎｄｅｎｔ  Ｆａｃｔｏｒｓ  Ａｓｓｏｃｉａｔｅｄ  ｗｉｔｈ  Ｌｏｎｇｅｖｉｔｙ  ｏｆ  Ｐｒｏｓｔｈｅｔｉｃ  Ｐｕｌｍｏｎａｒｙ  Ｖａｌｖｅｓ  ａｎｄ  Ｖａｌｖｅｄ  Ｃｏｎｄｕｉｔｓ，  Ｊ  Ｔｈｏｒａｃ  Ｃａｒｄｉｏｖａｓｃ  Ｓｕｒｇ，  （２０００），  １２０：１０２２−１０３１．
（非特許文献１１）  Ｃａｎｆｉｅｌｄ  ｅｔ  ａｌ．，  Ｎａｔｉｏｎａｌ  Ｅｓｔｉｍａｔｅｓ  ａｎｄ  Ｒａｃｅ／Ｅｔｈｎｉｃ−Ｓｐｅｃｉｆｉｃ  Ｖａｒｉａｔｉｏｎ  ｏｆ  Ｓｅｌｅｃｔｅｄ  Ｂｉｒｔｈ  Ｄｅｆｅｃｔｓ  ｉｎ  ｔｈｅ  Ｕｎｉｔｅｄ  Ｓｔａｔｅｓ，  Ｂｉｒｔｈ  Ｄｅｆｅｃｔｓ  Ｒｅｓｅａｒｃｈ  （Ｐａｒｔ  Ａ）：  Ｃｌｉｎｉｃａｌ  ａｎｄ  Ｍｏｌｅｃｕｌａｒ  Ｔｅｒａｔｏｌｏｇｙ，  （２００６），  ７６：７４７−７５６．
（非特許文献１２）  ＣＡＮＴＡＮＥＳＥ  ｅｔ  ａｌ．"Ｍｅｃｈａｎｉｃａｌ  Ｐｒｏｐｅｒｔｉｅｓ  ｏｆ  Ｍｅｄｉｃａｌ  Ｇｒａｄｅ  Ｅｘｐａｎｄｅｄ  Ｐｏｌｙｔｅｔｒａｆｌｕｏｒｏｔｈｙｌｅｎｅ：  Ｔｈｅ  Ｅｆｆｅｃｔ  ｏｆ  ｌｎｔｅｒｎｏｄａｌ  Ｄｉｓｔａｎｃｅ，  Ｄｅｎｓｉｔｙ，  ａｎｄ  Ｄｉｓｐｌａｃｅｍｅｎｔ  Ｒａｔｅ"．  Ａｐｒｉｌ  ２４，  １９９８．  Ｊｏｕｒｎａｌ  ｏｆ  Ｂｉｏｍｅｄｉｃａｌ  Ｍａｔｅｒｉａｌｓ  Ｒｅｓｅａｒｃｈ，  ４８：１８７−１９２．
（非特許文献１３）  ＣＨＲＹＳＯＳＯＴＯＭＯＵ  ｅｔ  ａｌ．，  Ｃｈａｐｔｅｒ  ２１：  Ｔｅｔｒａｌｏｇｙ  ｏｆ  Ｆａｌｌｏｔ  ｗｉｔｈ  Ｐｕｌｍｏｎａｒｙ  Ａｔｒｅｓｉａ，  Ｃｒｉｔｉｃａｌ  Ｃａｒｅ  ｏｆ  Ｃｈｉｌｄｒｅｎ  ｗｉｔｈ  Ｈｅａｒｔ  Ｄｉｓｅａｓｅ：  Ｂａｓｉｃ  Ｍｅｄｉｃａｌ  ａｎｄ  Ｓｕｒｇｉｃａｌ  Ｃｏｎｃｅｐｔｓ，  （２０１０），  ２１３−２１９．
（非特許文献１４）  ＣＨＲＹＳＯＳＯＴＯＭＯＵ  ｅｔ  ａｌ．，  Ｃｈａｐｔｅｒ  ２２：  Ｐｕｌｍｏｎａｒｙ  Ａｔｒｅｓｉａ  ｗｉｔｈ  Ｉｎｔａｃｔ  Ｉｎｔｅｒｖｅｎｔｒｉｃｕｌａｒ  Ｓｅｐｔｕｍ，  Ｃｒｉｔｉｃａｌ  Ｃａｒｅ  ｏｆ  Ｃｈｉｌｄｒｅｎ  ｗｉｔｈ  Ｈｅａｒｔ  Ｄｉｓｅａｓｅ：  Ｂａｓｉｃ  Ｍｅｄｉｃａｌ  ａｎｄ  Ｓｕｒｇｉｃａｌ  Ｃｏｎｃｅｐｔｓ，  （２０１０），  ２２１−２２９．
（非特許文献１５）  ＣＲＵＺ  ｅｔ  ａｌ．，  Ｔｒｕｎｃｕｓ  Ａｒｔｅｒｉｏｓｕｓ，  Ｃｈａｐｔｅｒ  ３５，  Ｃｒｉｔｉｃａｌ  Ｃａｒｅ  ｏｆ  Ｃｈｉｌｄｒｅｎ  ｗｉｔｈ  Ｈｅａｒｔ  Ｄｉｓｅａｓｅ，  Ｓｐｒｉｎｇｅｒ，  （２００９）  
（非特許文献１６）  ＤｅＦＲＡＮＣＥＳ  ｅｔ  ａｌ．，  Ｎａｔｉｏｎａｌ  Ｈｏｓｐｉｔａｌ  Ｄｉｓｃｈａｒｇｅ  Ｓｕｒｖｅｙ：  ２００５  ａｎｎｕａｌ  ｓｕｍｍａｒｙ  ｗｉｔｈ  ｄｅｔａｉｌｅｄ  ｄｉａｇｎｏｓｉｓ  ａｎｄ  ｐｒｏｃｅｄｕｒｅ  ｄａｔａ，  Ｎａｔｉｏｎａｌ  Ｃｅｎｔｅｒ  ｆｏｒ  Ｈｅａｌｔｈ  Ｓｔａｔｉｓｔｉｃｓ，  Ｖｉｔａｌ  Ｈｅａｌｔｈ  Ｓｔａｔ  （２００７），  １３（１６５）：１−２１８．
（非特許文献１７）  ＤＵＲ  ｅｔ  ａｌ．，  Ｉｎ  Ｖｉｔｒｏ  Ｅｖａｌｕａｔｉｏｎ  ｏｆ  Ｒｉｇｈｔ  Ｖｅｎｔｒｉｃｕｌａｒ  Ｏｕｔｆｌｏｗ  Ｔｒａｃｔ  Ｒｅｃｏｎｓｔｒｕｃｔｉｏｎ  Ｗｉｔｈ  Ｂｉｃｕｓｐｉｄ  Ｖａｌｖｅｄ  Ｐｏｌｙｔｅｔｒａｆｌｕｏｒｏｅｔｈｙｌｅｎｅ  Ｃｏｎｄｕｉｔ，  Ａｒｔｉｆｉｃｉａｌ  Ｏｒｇａｎｓ，  （２０１０），  ３４：  １０１０−１０１６．
（非特許文献１８）  Ｅｒｅｋ  ｅｔ  ａｌ．，  Ｄｕｒａｂｉｌｉｔｙ  ｏｆ  Ｓｔｅｎｔｌｅｓｓ  Ｂｉｏｐｒｏｓｔｈｅｓｅｓ  ｆｏｒ  Ｒｉｇｈｔ  Ｖｅｎｔｒｉｃｕｌａｒ  Ｏｕｔｆｌｏｗ  Ｔｒａｃｔ  Ｒｅｃｏｎｓｔｒｕｃｔｉｏｎ，  Ａｎｎ  Ｔｈｏｒａｃ  Ｓｕｒｇ，  （２００５），  ７９（６）：  ２２０２−２２０３．
（非特許文献１９）  ＦＡＭＡＥＹ，  Ｉｎ  Ｓｉｔｕ  Ｅｖｏｌｕｔｉｏｎ  Ｏｆ  Ｔｈｅ  Ｍｅｃｈａｎｉｃａｌ  Ｐｒｏｐｅｒｔｉｅｓ  Ｏｆ  Ｓｔｒｅｔｃｈａｂｌｅ  Ａｎｄ  Ｎｏｎ−Ｓｔｒｅｔｃｈａｂｌｅ  Ｅｐｔｆｅ  Ｖａｓｃｕｌａｒ  Ｇｒａｆｔｓ  Ａｎｄ  Ａｄｊａｃｅｎｔ  Ｎａｔｉｖｅ  Ｖｅｓｓｅｌｓ，  Ｉｎｔ  Ｊ  Ａｒｔｉｆ  Ｏｒｇａｎｓ  ２０１４；  ３７  （１２）：  ９００−９１０．
（非特許文献２０）  ＦＯＲＢＥＳＳ  ｅｔ  ａｌ．，  Ｃｏｎｄｕｉｔ  ｓｅｌｅｃｔｉｏｎ  ｆｏｒ  ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ：  ｃｏｎｔｅｍｐｏｒａｒｙ  ｏｐｔｉｏｎｓ  ａｎｄ  ｏｕｔｃｏｍｅｓ，  Ｓｅｍｉｎ  Ｔｈｏｒａｃ  Ｃａｒｄｉｏｖａｓｃ  Ｓｕｒｇ  Ｐｅｄｉａｔｒ  Ｃａｒｄ  Ｓｕｒｇ  Ａｎｎｕ，  （２００４），  ７：１１５−１２４．
（非特許文献２１）  Ｆｏｒｂｅｓｓ  ｅｔ  ａｌ．，  Ｃｒｙｏｐｒｅｓｅｒｖｅｄ  Ｈｏｍｏｇｒａｆｔｓ  ｉｎ  ｔｈｅ  Ｐｕｌｍｏｎａｒｙ  Ｐｏｓｉｔｉｏｎ：  Ｄｅｔｅｒｍｉｎａｎｔｓ  ｏｆ  Ｄｕｒａｂｉｌｉｔｙ，  Ａｎｎ  Ｔｈｏｒａｃ  Ｓｕｒｇ，  （２００１），  ７１（１）：５４−５９．
（非特許文献２２）  Ｆｕｎｇ，  Ｂｉｏｄｙｎａｍｉｃｓ−ｃｉｒｃｕｌａｔｉｏｎ，  Ｓｐｒｉｎｇｅｒ−ｖｅｒｌａｇ，  Ｎｅｗ  Ｙｏｒｋ−Ｂｅｒｌｉｎ−Ｈｅｉｄｅｌｂｅｒｇ−Ｔｏｋｙｏ  １９８４，  ４０４  ｐ．  １８９．
（非特許文献２３）  ＧＯＢＥＲ  ｅｔ  ａｌ．，  Ａｄｖｅｒｓｅ  Ｍｉｄ−Ｔｅｒｍ  Ｏｕｔｃｏｍｅ  Ｆｏｌｌｏｗｉｎｇ  ＲＶＯＴ  Ｒｅｃｏｎｓｔｒｕｃｔｉｏｎ  Ｕｓｉｎｇ  ｔｈｅ  Ｃｏｎｔｅｇｒａ  Ｖａｌｖｅｄ  Ｂｏｖｉｎｅ  Ｊｕｇｕｌａｒ  Ｖｅｉｎ，  Ａｎｎ  Ｔｈｏｒａｃ  Ｓｕｒｇ，  （２００５），  ７９：６２５−６３１．
（非特許文献２４）  ＧＲＡＨＡＭ  ｅｔ  ａｌ，  Ｃｏｍｐａｒｉｓｏｎ  ｏｆ  Ｎｏｒｗｏｏｄ  Ｓｈｕｎｔ  Ｔｙｐｅｓ：  Ｄｏ  ｔｈｅ  Ｏｕｔｃｏｍｅｓ  Ｄｉｆｆｅｒ  ６  Ｙｅａｒｓ  Ｌａｔｅｒ？，  Ａｎｎ  Ｔｈｏｒａｃ  Ｓｕｒｇ，  （２０１０），  ９０：３１−３５．
（非特許文献２５）  ＨＡＭＩＬＴＯＮ  ｅｔ  ａｌ．，  Ｂｉｒｔｈｓ：  Ｐｒｅｌｉｍｉｎａｒｙ  Ｄａｔａ  ｆｏｒ  ２００９，  Ｎａｔｉｏｎａｌ  Ｖｉｔａｌ  Ｓｔａｔｉｓｔｉｃｓ  Ｒｅｐｏｒｔｓ，  （Ｄｅｃｅｍｂｅｒ  ２１，  ２０１０），  ５９（３）：１−１９．
（非特許文献２６）  Ｈｅｒｏｎ  ｅｔ  ａｌ．，  Ｄｅａｔｈｓ：  Ｆｉｎａｌ  Ｄａｔａ  ｆｏｒ  ２００６，  Ｎａｔｉｏｎａｌ  Ｖｉｔａｌ  Ｓｔａｔｉｓｔｉｃｓ  Ｒｅｐｏｒｔｓ，  （Ａｐｒ．  １７，  ２００９），  ５７（１４）：１−１３５．
（非特許文献２７）  ＨＯＦＦＭＡＮ，  Ｃｈａｐｔｅｒ  ２１：  Ｃｏｎｇｅｎｉｔａｌ  Ｈｅａｒｔ  Ｄｉｓｅａｓｅ，  Ｅｓｓｅｎｔｉａｌ  Ｃａｒｄｉｏｌｏｇｙ：  Ｐｒｉｎｃｉｐｌｅｓ  ａｎｄ  Ｐｒａｃｔｉｃｅ，  ２ｎｄ  Ｅｄ．，  ３９３−４０６．
（非特許文献２８）  ＨＯＦＦＭＡＮ，  Ｔｈｅ  Ｉｎｃｉｄｅｎｃｅ  ｏｆ  Ｃｏｎｇｅｎｉｔａｌ  Ｈｅａｒｔ  Ｄｉｓｅａｓｅ，  Ｊ．  Ａｍ．  Ｃｏｌｌ．  Ｃａｒｄｉｏｌ．，  （２００２），  ３９（１２）：１８９０−１９００．
（非特許文献２９）  ＨＯＹＥＲＴ  ｅｔ  ａｌ．，  Ａｎｎｕａｌ  Ｓｕｍｍａｒｙ  ｏｆ  Ｖｉｔａｌ  Ｓｔａｔｉｓｔｉｃｓ：  ２００４，  Ｐｅｄｉａｔｒｉｃｓ，  （２００６）：１６８−１８３．
（非特許文献３０）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  Ｉｎｔｅｒｎａｔｉｏｎａｌ  ａｐｐｌｉｃａｔｉｏｎ  Ｎｕｍｂｅｒ  ＰＣＴ／ＵＳ２０１７／０５５９３９，  ｍａｉｌｅｄ  ｏｎ  Ｆｅｂｒｕａｒｙ  ３，  ２０１８
（非特許文献３１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１２／０４８９０２  ｄａｔｅｄ  Ｏｃｔｏｂｅｒ  ５，  ２０１２
（非特許文献３２）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１４／０２１８１４  ｄａｔｅｄ  Ｊｕｎｅ  ２５，  ２０１４
（非特許文献３３）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１７／０２０４２１  ｄａｔｅｄ  Ｍａｙ  １８，  ２０１７
（非特許文献３４）  Ｉｎｔｅｒｎａｔｉｏｎａｌ  Ｓｔａｎｄａｒｄ  ｆｏｒ  Ｃａｒｄｉｏｖａｓｃｕｌａｒ  ｉｍｐｌａｎｔｓ  ａｎｄ  ｅｘｔｒａｃｏｒｐｏｒｅａｌ  ｓｙｓｔｅｍｓ  −  Ｖａｓｃｕｌａｒ  ｐｒｏｓｔｈｅｓｅｓ  −  Ｔｕｂｕｌａｒ；  ｖａｓｃｕｌａｒ  ｇｒａｔｉｓ  ａｎｄ  ｖａｓｃｕｌａｒ  ｐａｔｃｈｅｓ  （ＩＳＯ  ７１９８：１−５４  （２０１６））；
（非特許文献３５）  Ｋａｚａ  ｅｔ  ａｌ．，  Ｌｏｎｇ−ｔｅｒｍ  ｒｅｓｕｌｔｓ  ｏｆ  ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ  ｉｎ  ｎｅｏｎａｔａｌ  ｃａｒｄｉａｃ  ｓｕｒｇｅｒｙ：  Ｏｐｔｉｏｎｓ  ａｎｄ  ｏｕｔｃｏｍｅｓ，  Ｊ  Ｔｈｏｒａｃ  Ｃａｒｄｉｏｖａｓｃ  Ｓｕｒｇ，  （２００９），  １３８：９１１−９１６．
（非特許文献３６）  ＭＥＮＯＮ  ｅｔ  ａｌ．，  Ｒｅｇｉｏｎａｌ  Ｍｙｏｃａｒｄｉａｌ  Ｄｙｓｆｕｎｃｔｉｏｎ  ｆｏｌｌｏｗｉｎｇ  Ｎｏｒｗｏｏｄ  ｗｉｔｈ  Ｒｉｇｈｔ  Ｖｅｎｔｒｉｃｌｅ  ｔｏ  Ｐｕｌｍｏｎａｒｙ  Ａｒｔｅｒｙ  Ｃｏｎｄｕｉｔ  ｉｎ  Ｐａｔｉｅｎｔｓ  ｗｉｔｈ  Ｈｙｐｏｐｌａｓｔｉｃ  Ｌｅｆｔ  Ｈｅａｒｔ  Ｓｙｎｄｒｏｍｅ，  Ｊｏｕｒｎａｌ  ｏｆ  ｔｈｅ  Ａｍｅｒｉｃａｎ  Ｓｏｃｉｅｔｙ  ｏｆ  Ｅｃｈｏｃａｒｄｉｏｇｒａｐｈｙ，  （２０１１），  ２４  （８）：８２７−８３３．
（非特許文献３７）  Ｍｅｙｎｓ  ｅｔ  ａｌ．，  Ｔｈｅ  Ｃｏｎｔｅｇｒａ  ｃｏｎｄｕｉｔ  ｉｎ  ｔｈｅ  ｒｉｇｈｔ  ｖｅｎｔｒｉｃｕｌａｒ  ｏｕｔｆｌｏｗ  ｔｒａｃｔ  ｉｎｄｕｃｅｓ  ｓｕｐｒａｖａｌｖｕｌａｒ  ｓｔｅｎｏｓｉｓ，  Ｊ  Ｔｈｏｒａｃ  Ｃａｒｄｉｏｖａｓｃ  Ｓｕｒｇ，  （２００４），  １２８：８３４−８４０．
（非特許文献３８）  Ｍｉｙａｚａｋｉ  ｅｔ  ａｌ．，  Ｅｘｐａｎｄｅｄ  ｐｏｌｙｔｅｔｒａｆｌｕｏｒｏｅｔｈｙｌｅｎｅ  ｃｏｎｄｕｉｔｓ  ａｎｄ  ｐａｔｃｈｅｓ  ｗｉｔｈ  ｂｕｌｇｉｎｇ  ｓｉｎｕｓｅｓ  ａｎｄ  ｆａｎ−ｓｈａｐｅｄ  ｖａｌｖｅｓ  ｉｎ  ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ：  Ｍｕｌｔｉｃｅｎｔｅｒ  ｓｔｕｄｙ  ｉｎ  Ｊａｐａｎ，  Ｊ  Ｔｈｏｒａｃ  Ｃａｒｄｉｏｖａｓｃ  Ｓｕｒｇ，  （２０１１），  １４２：１１２２−１１２９．
（非特許文献３９）  Ｎａｈｅｅｄ  ｅｔ  ａｌ．，  Ｃｈａｐｔｅｒ  １６  Ｐｕｌｍｏｎａｒｙ  Ａｔｒｅｓｉａ  ｗｉｔｈ  Ｉｎｔａｃｔ  Ｖｅｎｔｒｉｃｕｌａｒ  Ｓｅｐｔｕｍ，  Ｈｅａｒｔ  Ｄｉｓｅａｓｅｓ  ｉｎ  Ｃｈｉｌｄｒｅｎ：  Ａ  Ｐｅｄｉａｔｒｉｃｉａｎ'ｓ  Ｇｕｉｄｅ，  （２０１１），  １９５−２０２．
（非特許文献４０）  Ｎｉｗａ  ｅｔ  ａｌ．，  Ｐｒｏｇｒｅｓｓｉｖｅ  Ａｏｒｔｉｃ  Ｒｏｏｔ  Ｄｉｌａｔｉｏｎ  ｉｎ  Ａｄｕｌｔｓ  ａｎｄ  Ｌａｔｅ  Ａｆｔｅｒ  Ｒｅｐａｉｒ  ｏｆ  Ｔｅｔｒａｌｏｇｙ  ｏｆ  Ｆａｌｌｏｔ，  Ｃｉｒｃｕｌａｔｉｏｎ，  （２００２），  １０６：１３７４−１３７８．
（非特許文献４１）  Ｏｈｙｅ，  Ｃｏｍｐａｒｉｓｏｎ  ｏｆ  Ｒｉｇｈｔ  Ｖｅｎｔｒｉｃｌｅ  ｔｏ  Ｐｕｌｍｏｎａｒｙ  Ａｒｔｅｒｙ  Ｃｏｎｄｕｉｔ  ａｎｄ  Ｍｏｄｉｆｉｅｄ  Ｂｌａｌｏｃｋ−Ｔａｕｓｓｉｇ  Ｓｈｕｎｔ  Ｈｅｍｏｄｙｎａｍｉｃｓ  Ａｆｔｅｒ  ｔｈｅ  Ｎｏｒｗｏｏｄ  Ｏｐｅｒａｔｉｏｎ，  Ａｎｎ  Ｔｈｏｒａｃ  Ｓｕｒｇ，  （２００４），  ７８：１０９０−１０９３．
（非特許文献４２）  Ｏｕｒｙ，  Ｔｈｅ  Ｒｏｓｓ  Ｐｒｏｃｅｄｕｒｅ：  Ｃｕｒｒｅｎｔｌｙ  Ｒｅｇｉｓｔｒｙ  Ｒｅｓｕｌｔｓ，  Ａｎｎ  Ｔｈｏｒａｃ  Ｓｕｒｇ，  （１９９８），  ６６：Ｓ１６２−Ｓ１６５．
（非特許文献４３）  Ｐａｒｋｅｒ  ｅｔ  ａｌ．，  Ｕｐｄａｔｅｄ  Ｎａｔｉｏｎａｌ  Ｂｉｒｔｈ  Ｐｒｅｖａｌｅｎｃｅ  Ｅｓｔｉｍａｔｅｓ  ｆｏｒ  Ｓｅｌｅｃｔｅｄ  Ｂｉｒｔｈ  Ｄｅｆｅｃｔｓ  ｉｎ  ｔｈｅ  Ｕｎｉｔｅｄ  Ｓｔａｔｅｓ，  ２００４−２００６，  Ｂｉｒｔｈ  Ｄｅｆｅｃｔｓ  Ｒｅｓｅａｒｃｈ  （Ｐａｒｔ  Ａ）：  Ｃｌｉｎｉｃａｌ  ａｎｄ  Ｍｏｌｅｃｕｌａｒ  Ｔｅｔｒａｔｏｌｏｇｙ，  （２０１０），  ８８：１００８−１０１６．
（非特許文献４４）  ＰＡＳＨＮＥＨ−ＴＡＬＡ，  Ｔｈｅ  Ｔｉｓｓｕｅ−Ｅｎｇｉｎｅｅｒｅｄ  Ｖａｓｃｕｌａｒ  Ｇｒａｆｔ−Ｐａｓｔ，  Ｐｒｅｓｅｎｔ，  ａｎｄ  Ｆｕｔｕｒｅ；  ＩＮＴＥＲＮＡＴＩＯＮＡＬ  ＳＴＡＮＤＡＲＤ  ２０１６，  ＴＩＳＳＵＥ  ＥＮＧＩＮＥＥＲＩＮＧ：  Ｐａｒｔ  Ｂ，Ｖｏｌｕｍｅ  ２２，  Ｎｕｍｂｅｒ  １，  ２０１６：  ６８−１００．
（非特許文献４５）  ＰＣＴ／ＵＳ２０１２／０４８９０２  Ｉｎｔｅｒｎａｔｉｏｎａｌ  Ｓｅａｒｃｈ  Ｒｅｐｏｒｔ  ｄａｔｅｄ  Ｏｃｔ．  ５，  ２０１２．
（非特許文献４６）  Ｐｒｏｐｔｏｐａｐａｓ  ｅｔ  ａｌ．，  Ｃｏｎｔｅｇｒａ  ｃｏｎｄｕｉｔ  ｆｏｒ  ｒｅｃｏｎｓｔｒｕｃｔｉｏｎ  ｏｆ  ｔｈｅ  ｒｉｇｈｔ  ｖｅｎｔｒｉｃｕｌａｒ  ｏｕｔｆｌｏｗ  ｔｒａｃｔ：  ａ  ｒｅｖｉｅｗ  ｏｆ  ｐｕｂｌｉｓｈｅｄ  ｅａｒｌｙ  ａｎｄ  ｍｉｄ−ｔｉｍｅ  ｒｅｓｕｌｔｓ，  Ｊｏｕｒｎａｌ  ｏｆ  Ｃａｒｄｉｏｔｈｏｒａｃｉｃ  Ｓｕｒｇｅｒｙ，  （２００８），  ３：６２  （７  ｐａｇｅｓ）．
（非特許文献４７）  Ｒｏｓｔｉ  ｅｔ  ａｌ．，  Ｍｅｃｈａｎｉｃａｌ  ｖａｌｖｅｓ  ｉｎ  ｔｈｅ  ｐｕｌｍｏｎａｒｙ  ｐｏｓｉｔｉｏｎ：  ａ  ｒｅａｐｐｒａｉｓａｌ，  Ｊ  Ｔｈｏｒａｃ  Ｃａｒｄｉｏｖａｓｃ  Ｓｕｒｇ，  （１９９８），  １１５  （５）：１０７４−１０７９．
（非特許文献４８）  Ｓａｎｏ  ｅｔ  ａｌ．，  Ｒｉｇｈｔ  ｖｅｎｔｒｉｃｌｅ−ｐｕｌｍｏｎａｒｙ  ａｒｔｅｒｙ  ｓｈｕｎｔ  ｉｎ  ｆｉｒｓｔ−ｓｔａｇｅ  ｐａｌｌｉａｔｉｏｎ  ｏｆ  ｈｙｐｏｐｌａｓｔｉｃ  ｌｅｆｔ  ｈｅａｒｔ  ｓｙｎｄｒｏｍｅ，  Ｊ  Ｔｈｏｒａｃ  Ｃａｒｄｉｏｖａｓｃ  Ｓｕｒｇ，  （２００３），  １２６：５０４−５１０．
（非特許文献４９）  Ｓｃｈｒｅｉｂｅｒ  ｅｔ  ａｌ．，  Ｅａｒｌｙ  Ｇｒａｆｔ  Ｆａｉｌｕｒｅ  ｏｆ  Ｓｍａｌｌ−Ｓｉｚｅｄ  Ｐｏｒｃｉｎｅ−Ｖａｌｖｅｄ  Ｃｏｎｄｕｉｔｓ  ｉｎ  Ｒｅｃｏｎｓｔｒｕｃｔｉｏｎ  ｏｆ  Ｒｉｇｈｔ  Ｖｅｎｔｒｉｃｕｌａｒ  Ｏｕｔｆｌｏｗ  Ｔｒａｃｔ，  Ａｎｎ  Ｔｈｏｒａｃ  Ｓｕｒｇ，  （２００６），  ８２：１７９−１８６．
（非特許文献５０）  Ｓｈｅｂａｎｉ  ｅｔ  ａｌ．，  Ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ  ｕｓｉｎｇ  Ｃｏｎｔｅｇｒａ  ｖａｌｖｅｄ  ｃｏｎｄｕｉｔ：  ｎａｔｕｒａｌ  ｈｉｓｔｏｒｙ  ａｎｄ  ｃｏｎｄｕｉｔ  ｐｅｒｆｏｒｍａｎｃｅ  ｕｎｄｅｒ  ｐｒｅｓｓｕｒｅ，  Ｅｕｒｏｐｅａｎ  Ｊｏｕｒｎａｌ  ｏｆ  Ｃａｒｄｉｏ−ｔｈｏｒａｃｉｃ  Ｓｕｒｇｅｒｙ，  （２００６），  ２９：３９７−４０５．
（非特許文献５１）  Ｓｕｐｐｌｅｍｅｎｔａｒｙ  Ｅｕｒｏｐｅａｎ  Ｓｅａｒｃｈ  Ｒｅｐｏｒｔ  ａｎｄ  Ｗｒｉｔｔｅｎ  Ｏｐｉｎｉｏｎ    ｆｏｒ  ＥＰ  １６８１２６００  ｄａｔｅｄ  Ｊａｎｕａｒｙ  １５，  ２０１９．
（非特許文献５２）  Ｃａｎａｄｉａｎ  Ｏｆｆｉｃｅ  Ａｃｔｉｏｎ  ｄａｔｅｄ  Ｊｕｌｙ  １９，  ２０１８    ｆｏｒ  Ｃａｎａｄｉａｎ  Ｐａｔｅｎｔ  Ａｐｐｌｉｃａｔｉｏｎ  Ｎｏ．  ２，８５５，９４３．
（非特許文献５３）  Ｓｈｉｏｓｅ  ｅｔ  ａｌ．，  Ｒｅｃｅｎｔ  Ａｄｖａｎｃｅｓ  ａｎｄ  Ｐａｔｅｎｔｓ  ｏｎ  Ｃｉｒｃｕｌａｔｏｒｙ  Ｓｕｐｐｏｒｔ  Ｄｅｖｉｃｅｓ  ｆｏｒ  Ｐｅｄｉａｔｒｉｃ  Ｐａｔｉｅｎｔｓ，  Ｒｅｃｅｎｔ  Ｐａｔｅｎｔｓ  ｏｎ  Ｂｉｏｍｅｄｉｃａｌ  Ｅｎｇｉｎｅｅｒｉｎｇ，  （２００９），  ２：１６１−１６４．  
（非特許文献５４）  ＳＴＥＦＡＮＯ  ｅｔ  ａｌ．，  Ｒｉｇｈｔ  ｖｅｎｔｒｉｃｌｅ  ｏｕｔｆｌｏｗ  ｔｒａｃｔ  ｒｅｃｏｎｓｔｒｕｃｔｉｏｎ  ｉｎ  ｔｈｅ  ｐｅｄｉａｔｒｉｃ  ｐｏｐｕｌａｔｉｏｎ：  Ａ  ｃｏｍｐａｒａｔｉｖｅ  ａｎａｌｙｓｉｓ  ｂｅｔｗｅｅｎ  ｄｉｆｆｅｒｅｎｔ  ｇｒａｆｔｓ，  Ｔｈｅ  １５ｔｈ  Ｃｏｎｇｒｅｓｓ  ｏｎ  Ｃａｒｄｉｏ−Ｔｈｏｒａｃｉｃ  Ｓｕｒｇｅｒｙ，  （Ｎｏｖｅｍｂｅｒ  ２０１０）．  
（非特許文献５５）  Ｗａｌｄ  ｅｔ  ａｌ．，  Ｒｅｆｉｎｉｎｇ  ｔｈｅ  ａｓｓｅｓｓｍｅｎｔ  ｏｆ  ｐｕｌｍｏｎａｒｙ  ｒｅｇｕｒｇｉｔａｔｉｏｎ  ｉｎ  ａｄｕｌｔｓ  ａｆｔｅｒ  ｔｅｔｒａｌｏｇｙ  ｏｆ  Ｆａｌｌｏｔ  ｒｅｐａｉｒ：  ｓｈｏｕｌｄ  ｗｅ  ｂｅ  ｍｅａｓｕｒｉｎｇ  ｒｅｇｕｒｇｉｔａｎｔ  ｆｒａｃｔｉｏｎ  ｏｒ  ｒｅｇｕｒｇｉｔａｎｔ  ｖｏｌｕｍｅ？，  Ｅｕｒｏｐｅａｎ  Ｈｅａｒｔ  Ｊｏｕｒｎａｌ，  （２００９），  ３０：３５６−３６１．  
（非特許文献５６）  Ｗａｎｇ  ｅｔ  ａｌ．，  Ｉｎ  ｖｉｖｏ  ｄｅｇｒａｄａｔｉｏｎ  ｃｈａｒａｃｔｅｒｉｓｔｉｃｓ  ｏｆ  ｐｏｌｙ（ｇｌｙｃｅｒｏｌ  ｓｅｂａｃａｔｅ），  Ｊ  Ｂｉｏｍｅｄ  Ｍａｔｅｒ  Ｒｅｓ  Ａ，  （２００３），  ６６Ａ：１９２−１９７．  
（非特許文献５７）  Ｙｏｇａｎａｔｈａｎ  ｅｔ  ａｌ．，  Ｆｌｕｉｄ  ｍｅｃｈａｎｉｃｓ  ｏｆ  ｈｅａｒｔ  ｖａｌｖｅｓ，  Ａｎｎｕ  Ｒｅｖ  Ｂｉｏｍｅｄ  Ｅｎｇ，  （２００４），  ６：３３１−３６２．  
（非特許文献５８）  Ｙｏｓｈｉｄａ  ｅｔ  ａｌ．，  Ｍｉｄｔｅｒｍ  ｒｅｓｕｌｔｓ  ｏｆ  ｂｉｃｕｓｐｉｄ  ｖａｌｖｅｄ  ＰＴＦＥ  ｃｏｎｄｕｉｔ  ｆｏｒ  ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ，  Ｔｈｅ  ４８ｔｈ  Ａｎｎｕａｌ  Ｍｅｅｔｉｎｇ  ｏｆ  ＳＴＳ  （２０１２）  Ａｂｓｔｒａｃｔ．  
（非特許文献５９）  ＹＯＳＨＩＤＡ  ｅｔ  ａｌ．，  Ｒｉｇｈｔ  Ｖｅｎｔｒｉｃｕｌａｒ  Ｏｕｔｆｌｏｗ  Ｔｒａｃｔ  Ｒｅｃｏｎｓｔｒｕｃｔｉｏｎ  ｗｉｔｈ  Ｂｉｃｕｓｐｉｄ  Ｖａｌｖｅｄ  Ｐｏｌｙｔｅｔｒａｆｌｕｏｒｏｅｔｈｙｌｅｎｅ  Ｃｏｎｄｕｉｔ，  Ａｎｎａｌｓ  ｏｆ  Ｔｈｏｒａｃｉｃ  Ｓｕｒｇｅｒｙ，  （２０１１），  ９１：１２３５−１２３９．  
（非特許文献６０）  Ｙｕａｎ  ｅｔ  ａｌ．，  Ｒｉｇｈｔ  ｖｅｎｔｒｉｃｕｌａｒ  ｏｕｔｆｌｏｗ  ｔｒａｃｔ  ｒｅｃｏｎｓｔｒｕｃｔｉｏｎ：  ｖａｌｖｅ  ｃｏｎｄｕｉｔ  ｏｆ  ｃｈｏｉｃｅ  ａｎｄ  ｃｌｉｎｉｃａｌ  ｏｕｔｃｏｍｅｓ，  Ｊ  Ｃａｒｄｉｏｖａｓｃ  Ｍｅｄ，  （２００８），  ９（４）：３２７−３３７．
（非特許文献６１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１６／０３８３０２  ｄａｔｅｄ  Ｓｅｐｔｅｍｂｅｒ  ７，  ２０１６．